(57)【要約】【課題】Ｌ字状ではなく平坦な板形状に形成されたタイルを建物の出隅部に定着可能として、出隅部に施工されたタイルの施工後の破損を回避し得るようにすると共に、該施工に適したタイルを安価に且大量に提供せんとするものである。【解決手段】一端部を閉塞して裏面に形成された掛止溝が端面から露出しないように形成されたタイルを、閉塞された端面を外部に露出させて建物の出隅部に配置し、このタイルの内側に他方のタイルを直角に突き合わせて配置しつつタイル取付ボードに定着するようにしたことを特徴とする。【選択図】　図１
2004003269.tif 000002
【特許請求の範囲】
【請求項１】
一端部を閉塞して裏面に形成された掛止溝が端面から露出しないように形成されたタイルを、閉塞された端面を外部に露出させて建物の出隅部に配置し、このタイルの内側に他方のタイルを直角に突き合わせて配置しつつタイル取付ボードに定着するようにしたことを特徴とするタイルの施工法。
【請求項２】
直角に突き合わされる両方のタイルが、一端部を閉塞されたタイルからなることを特徴とする請求項１記載のタイルの施工法。
【請求項３】
直角に突き合わされる一方のタイルは、一端部を閉塞されたタイルであり、他方のタイルは端部の閉塞されていないタイルであり、端部を閉塞されたタイルの内側に他方のタイルを突き合わせるようにしたことを特徴とする請求項１記載のタイルの施工法。
【請求項４】
直角に突き合わされる両方のタイルが、一端部を閉塞され且つ該閉塞された端部外面の少なくとも一部が４５゜の斜面に形成され、斜面において両方のタイルを突き合わせるようにしたことを特徴とする請求項１記載のタイルの施工法。
【請求項５】
直角に突き合わされる一方のタイルの一端部をタイルの端面厚さの範囲内で方形状に切除し、該一方のタイルの方形切除部に他方のタイルの端面を直角に突き合わせて建物の出隅部に配置しつつ、タイル取付ボードに定着するようにしたことを特徴とするタイルの施工法。
【請求項６】
直角に突き合わされるタイルが、建物の平坦な壁面を被覆するタイルの縦方向の長さのほぼ整数倍の縦方向長さを有し、該出隅部に配置される一枚のタイルで壁面の平坦部に配置される複数のタイルをカバーするようにしたことを特徴とする請求項１乃至５のいずれかに記載のタイルの施工法。
【請求項７】
直角に突き合わされるタイルが、薄く形成した上縁を上方に位置するタイルの下縁に係入して組み合わせるようにしたオーバーラップタイプのタイルからなり、一側端部を壁で閉塞して裏面に形成された掛止溝が端面から露出しないように形成されたオーバーラップタイプのタイルを、閉塞された端面を外部に露出させて建物の出隅部に配置し、このタイルの内側に他方のオーバーラップタイプのタイルを直角に突き合わせて配置しつつタイル取付ボードに定着するようにしたことを特徴とする建物のコーナー部におけるオーバーラップタイプのタイルの施工法。
【請求項８】
直角に突き合わされる両方のオーバーラップタイプのタイルが、一端部を閉塞されたタイルからなることを特徴とする請求項７記載の建物のコーナー部におけるオーバーラップタイプのタイルの施工法。
【請求項９】
直角に突き合わされる一方のオーバーラップタイプのタイルは、一端部を閉塞されたタイルであり、他方のオーバーラップタイプのタイルは端部の閉塞されていないタイルであり、端部を閉塞されたタイルの内側に他方のタイルを突き合わせるようにしたことを特徴とする請求項７記載の建物のコーナー部におけるオーバーラップタイプのタイルの施工法。
【請求項１０】
一端部を閉塞して裏面に形成された掛止溝が端面から露出しないように形成されていることを特徴とするタイル。
【請求項１１】
一端部を閉塞され且つ該閉塞された端部外面の少なくとも一部が４５゜の斜面に形成されていることを特徴とするタイル。
【請求項１２】
一端部をタイル厚さの範囲内で方形状に切除したことを特徴とするタイル。
【請求項１３】
建物の出隅部に配置されるタイルの縦方向長さが、建物の平坦な壁面にタイルの縦方向の長さのほぼ整数倍の長さを有していることを特徴とする請求項１０乃至１２のいずれかに記載のタイル。
【請求項１４】
上縁を薄く形成され、該薄い上縁が係入する下縁を有するオーバーラップタイプのタイルであって、一側端部を壁で閉塞して裏面に形成された掛止溝が端面から露出しないように形成されていることを特徴とするオーバーラップタイプのタイル。
【発明の詳細な説明】
【０００１】
【発明の属する分野】
この発明は、建物のコーナー、いわゆる出隅部におけるタイルの施工法及びそのためのタイルに関する。
【０００２】
【従来の技術】
建物の外壁にタイルを定着して外観を良好にする施工法は公知である。かかるタイルの施工法は、大きく分けて建物の外壁にタイルをモルタルで直接定着する湿式工法と、建物の外壁にタイル取付ボードを定着してこのボードにタイルを掛止する乾式工法とが知られている。この発明は、乾式工法でタイルを施工する場合において、特に建物のコーナー、いわゆる出隅部にタイルを定着する方法及びそのためのタイルを提供せんとするものである。乾式工法による一つの大きな利点は、タイルを型押若しくは押し出し成型法により大量生産出来ることにあり、タイル製造コストの低減が可能である。しかしながら、かかる乾式工法ではタイルをタイル取付ボードの突条に掛止するためにタイルの裏面に掛止溝が一端から他端まで連続して形成されており、この掛止溝がタイルの端面に露出している。このため、建物の出隅部にタイルを配置した場合、掛止溝が外部に露出し雨水等が侵入してくる問題を有している。
【０００３】
そこで従来は、建物の出隅部にタイルを定着する場合、図２６，２７に示すように直角のＬ字状に折曲したタイル（１）を形成し、このタイルを出隅部に合わせて定着している。しかしながら、このようなＬ字状に折曲したタイルは大量に生産して直接焼成することは困難であるため、平坦な形状に成形した焼成前若しくは焼成後のタイルの端面を斜めに切断して直角に突き合わせ接合するか、或いは手作りでＬ字状に成形して製作しており、極めて効率が悪くコスト高になるのを避けることが出来なかった。又、かかるＬ字状のタイルは輸送、保管或いは施工後に破損しやすい欠点もあった。特に、上下縁を相互に重ねるオーバーラップタイプのタイルに、Ｌ字状に折曲した構造を適用することは実際上不可能であった。
【０００４】
【発明が解決しようとする課題】
この発明は、Ｌ字状ではなく平坦な板形状に形成されたタイルを建物の出隅部に定着可能として、出隅部に施工されたタイルの施工後の破損を回避し得るようにすると共に、該施工に適したタイルを安価に且大量に提供せんとするものである。
【０００５】
【課題を解決するための手段】
上記課題を解決するためにこの発明が採った手段は、一端部を閉塞して裏面に形成された掛止溝が端面から露出しないように形成されたタイルを、閉塞された端面を外部に露出させて建物の出隅部に配置し、このタイルの内側に他方のタイルを直角に突き合わせて配置しつつタイル取付ボードに定着するようにしたことを特徴とする。
【０００６】
直角に突き合わされるタイルの一方若しくは両方のタイルの一端部を、閉塞したタイルとし、端部を閉塞されたタイルの内側に他方のタイルを突き合わせるようにしたことを特徴とする。
【０００７】
直角に突き合わされる両方のタイルが、一端部を閉塞され且つ該閉塞された端部外面の少なくとも一部が４５゜の斜面に形成され、斜面において両方のタイルを突き合わせるようにしたことを特徴とする。
【０００８】
直角に突き合わされる一方のタイルの一端部をタイルの端面厚さの範囲内で方形状に切除し、該一方のタイルの方形切除部に他方のタイルの端面を直角に突き合わせて建物の出隅部に配置しつつ、タイル取付ボードに定着するようにしたことを特徴とする。
【０００９】
直角に突き合わされるタイルが、建物の平坦な壁面を被覆するタイルの縦方向の長さのほぼ整数倍の縦方向長さを有し、該出隅部に配置される一枚のタイルで壁面の平坦部に配置される複数のタイルをカバーするようにしたことを特徴とする。
【００１０】
直角に突き合わされるタイルが、薄く形成した上縁を上方に位置するタイルの下縁に係入して組み合わせるようにしたオーバーラップタイプのタイルからなり、一側端部を壁で閉塞して裏面に形成された掛止溝が端面から露出しないように形成されたオーバーラップタイプのタイルを、閉塞された端面を外部に露出させて建物の出隅部に配置し、このタイルの内側に他方のオーバーラップタイプのタイルを直角に突き合わせて配置しつつタイル取付ボードに定着するようにしたことを特徴とする。
【００１１】
【発明の実施の形態】
この発明の好ましい実施の形態を、以下に詳細に説明する。この発明は、タイルの一端部を閉塞して、裏面に形成された掛止溝がタイルの端面から露出しないように形成し、該一端面を閉塞したタイルを建物の出隅部に閉塞された端面が外部に露出するように配置し、このタイルに他方のタイルを直角に突き合わせて配置しつつタイル取付ボードに定着するようにしたことを特徴とする。又、かかるタイルの施工に適した、一端面を閉塞してなるタイルを提供することを特徴とする。出隅部において突き合わされるタイルは、少なくとも端面が外方に露出する側のタイルは、その端面が閉塞されていなければならないが、突き合わせされる他方のタイルは端面が閉塞されていなくても良い。又、端面を４５゜の斜面で且閉塞した形状としてタイルを４５゜の斜面で突き合わせて直角に配置しても良い。
【００１２】
又、建物の出隅部に配置するタイルを、建物の平坦な壁面を被覆するタイルの縦方向長さのほぼ整数倍の縦方向長さを有する形状に形成し、出隅部を被覆する一枚のタイルで出隅部に続く平坦な壁面を被覆している複数のタイルを同時にカバーするようにしても良い。この出隅部に配置され、複数のタイルを同時にカバーするタイルも、前記したように少なくとも一方のタイルの一端面は閉塞されており、この閉塞された端面を出隅部において外部に露出させつつ配置し、他方のタイルをこのタイルの内側に突き合わせて直角に配置するものとする。又、タイルの一端面をタイルの厚さの範囲内において方形状に切除し、該切除された方形の切除部に他方のタイルを直角に突き合わせて、建物の出隅部を二枚のタイルで直角に被覆するようにしても良い。この場合、方形の切除部は、タイルの厚みの範囲内にあり、直角に突き合わされたとき、タイルの端面の厚みが外部に露出するが、裏面の溝部が外部に露出することはない。この発明にかかるタイルは、型押成型法により成型し焼成して製作することが出来るため、大量生産が可能となる。
【００１３】
又、この発明は、上下縁を相互に重ねて組み合わせる形態のオーバーラップタイプのタイルを建物のコーナー部、すなわち出隅部に施工する施工方法及びそのためのタイルにも適用することが可能であり、前記と同様にタイルの一側端面を閉塞して、裏面に形成された掛止溝がオーバーラップタイプのタイルの側端面から外部に露出しないように形成し、建物の出隅部に閉塞された端面が外部に露出するように配置し、このタイルに他方のタイルを直角に突き合わせつつタイル取付ボードに定着するようにしたことを特徴とする。又、かかるタイルの施工に適した一端面を閉塞した構造を有するオーバーラップタイプのタイルを提供することを特徴とする。出隅部において突き合わされるオーバーラップタイプのタイルの少なくとも一方は、一側端面が閉塞されていなければならないが、突き合わせされる他方のタイルは端面が閉塞されていなくても良い。
【００１４】
オーバーラップタイプのタイルは、上縁を薄く形成して上方に位置するタイルの下縁内側に係入し組み合わせるようにした構造のタイルであり、従来建物の出隅部に配置することは困難であった。特に、乾式タイル施工法にあっては、建物の外面に定着されたタイル取付ボードの掛止突条にタイルを裏面に形成された掛止溝を係入してタイルを保持する構造であり、掛止溝がタイルの側端面に露出しているため、建物の出隅部に配置した場合、露出した掛止溝から雨水が浸入してくる不都合がある。
【００１５】
【実施例】
図１〜６を参照して、タイル（１０）はタイル取付ボード（２０）の突条（２１）に掛止する少なくとも一つの掛止溝（１１）が裏面に形成されており、該掛止溝（１１）はタイルの一端面において壁（１２）で閉止され、掛止溝（１１）がタイルの端面から外方に露出しないように形成される。掛止溝（１１）の他端は、タイルの他方の端面から外方に露出しており、タイル取付ボードの突条（２１）への掛止を可能としている。図１〜３は建物の出隅部におけるタイルの施工状態を示し、（３０）は建物の外壁であり、外壁（３０）の外面に前記タイル取付ボード（２０）が配置される。ボード（２０）にはタイルを掛止するための突条（２１）が突設され、水平方向に延びている。施工に際しては、前記タイル（１０）の掛止溝（１１）を突条（２１）に係止しつつ、図３，４に示すように閉止された端面同士を突き合わせて直角に配置して、出隅部を被覆する。タイルの接合間隙や隅角部は、シーリング（４０）で防水処理される。尚、図７、８に示すように、一方の端面を壁（１２）で閉塞したタイル（１０）に対して直角に突き合わせる他方のタイル（１３）は、端面を閉塞していない通常のタイルであっても良い。この場合、図７に示すように、端面を閉塞したタイル（１０）の内側に閉塞していない通常のタイル（１３）を突き合わせて、掛止溝（１１）が外部に露出しないようにする。
【００１６】
図９〜１１は、この発明の他の実施例を示す。図面を参照して、タイル（１５）は、一端面が壁（１６）で閉塞されていると共に、該閉塞された端部外面を４５゜の斜面（１７）とタイルの長手方向に対して直交する垂直面（１８）が連続する面に形成したことを特徴とする。端部外面は、その全面を４５゜の斜面とするのが美観の点からは好ましいが、全体を斜面とした場合、尖鋭な先端が作出され、成形が困難であると共に破損しやすくなる。又、斜面と垂直面との間には、タイルの長手方向と平行な小幅の水平部（１９）を介在させるのが好ましい。
【００１７】
図１２〜１５は、この発明の更に他の実施例を示しており、建物の出隅部に直角に配置される少なくとも一方のタイル（１５０）の一端部に、該タイルの厚みの範囲内で方形に切除して方形切除部（１５１）を形成し、他方のタイル（１５２）の端部を該方形切除部（１５１）内に突き合わせて直角に配置する。突き合わされたタイル（１５０）（１５２）は、図１４，１５に示すように厚みの範囲内で突き合わされているため、タイル裏面の係止溝（１１）がタイルの端面から外部に露出することはない。
【００１８】
図１６〜１８は、更に他の実施例を示しており、建物の出隅部に直角に配置されるタイル（２５０）が、出隅部に連続する平坦な壁面を被覆するタイル（２５１）に比して縦方向の長さが、ほぼ整数倍数の縦方向長さに形成されており、出隅部を被覆する一枚のタイル（２５０）で出隅部に続く平坦な壁面を被覆している複数のタイル（２５１）を同時にカバーするようにしても良い。図示の実施例では出隅部の一枚のタイル（２５０）で、平坦な壁面の３枚のタイルを同時にカバーするようにしたが、かかる枚数は特に限定されるものではない。又、図示のタイル（２５０）は、一方の端面を閉塞する形状としたが、これに限られないことは勿論であり、図１〜１５に示されたいずれの形状でも採用することが可能である。又、タイルの表面には、所望の模様、凹凸、色彩等を施すことが出来る。
【００１９】
図１９〜２５を参照して、オーバーラップタイプのタイル（３０１）は、上縁（３１０）を薄く形成し、上部に位置するタイルの下縁（３１１）の内側に係入して組み合わせるようにした構造のタイルであり、タイル取付ボード（３０２）の掛止突条（３２０）に掛止する少なくとも一つの掛止溝（３１２）が裏面に形成されており、該掛止溝（３１２）はタイルの一端面において壁（３１３）で閉止され、掛止溝（３１２）がタイルの端面から外方に露出しないように形成されている。壁（３１３）の上面は、図２１，２２に示すように突き合わされる他方のタイル（３３０）の上縁（３３１）の形状に倣って、折曲した形状（３１４）に形成される。掛止溝（３１２）の他端は、タイルの他方の端面から外方に露出しており、タイル取付ボードの掛止突条（３２０）への掛止を可能としている。図１９〜２１は建物の出隅部におけるオーバーラップタイプのタイルの施工状態を示し、（３０３）は建物の外壁であり、外壁（３０３）の外面に前記タイル取付ボード（３０２）が配置される。ボード（３０２）にはタイル（３０１，３３０）を掛止するための水平方向に延びる掛止突条（３２０）が突設されている。施工に際しては、前記タイル（３０１）の掛止溝（１２）およびタイル（３３０）の係止溝を掛止突条（３２０）に係止しつつ、図２１，２２に示すように閉止された端面の内側に他方のタイル（３３０）を突き合わせて直角に配置して、出隅部を被覆する。タイルの接合間隙や隅角部は、シーリング（３０４）で防水処理される。尚、図２１，２２に示すように、一方の端面を壁（３１３）で閉塞したタイル（３０１）に対して直角に突き合わされる他方のタイル（３３０）は、端面を閉塞していない通常のタイルとしても、或いは壁（３１３）で閉塞したタイルであっても良いことは勿論である。又、タイルの表面には、所望の模様、凹凸、色彩等を施すことが出来る。
【００２０】
この実施例によれば、建物の出隅部において上下縁を互いに組み合わせるオーバーラップタイプのタイルの施工を、従来のＬ字型に折曲されたタイルではなく、平板状のタイルを以て施工することが出来るため、出隅部におけるオーバーラップタイプのタイルの施工を簡便に低コストで実現することが可能となる。又、出隅部に定着するオーバーラップタイプのタイルは、Ｌ字形状ではなく平板な形状で良いため、タイルの製造コストを低減することが出来る。又、上下縁を相互に重ねて組み合わせるオーバーラップタイプのタイルをＬ字状ではなく平坦な板形状に構成して建物の出隅部に定着可能とし、定着した状態においてタイルの側端面から掛止溝が外部に露出しないようにしてタイルを施工することが出来る。
【００２１】
【発明の効果】
この発明によれば、建物の出隅部におけるタイルの施工を、従来のＬ字型に折曲されたタイルではなく、平板状のタイルを以て施工することが出来るため、出隅部におけるタイルの施工を簡便に低コストで実現することが可能となる。又、出隅部に定着するタイルは、Ｌ字形状ではなく平板な形状で良いため、タイルの製造コストを低減することが出来る。
【図面の簡単な説明】
【図１】この発明のタイルを施工した建物の出隅部の斜視図
【図２】同施工状態を示す斜視図
【図３】同断面図
【図４】同タイルの突き合わせ状態を示す斜視図
【図５】同タイルの斜視図
【図６】同断面図
【図７】この発明に一変形例にかかる施工状態の断面図
【図８】同タイルの突き合わせ状態を示す斜視図
【図９】この発明の他の実施例を示す施工状態の斜視図
【図１０】同断面図
【図１１】同タイルの突き合わせ状態を示す斜視図
【図１２】この発明の更に他の実施例にかかるタイルの突き合わせ状態を示す斜視図
【図１３】同タイルの斜視図
【図１４】同タイルの施工状態を示す斜視図
【図１５】同施工状態の断面図
【図１６】この発明の更に他の実施例にかかるタイルの突き合わせ状態を示す斜視図
【図１７】同施工状態を示す斜視図
【図１８】同施工状態を示す断面図
【図１９】この発明の更に他の実施例にかかるタイルを施工した建物の出隅部の斜視図
【図２０】同施工状態を示す斜視図
【図２１】同平面図
【図２２】同タイルの突き合わせ状態を示す斜視図
【図２３】同タイルの斜視図
【図２４】同オーバーラップタイプのタイルの組み合わせ状態を示す斜視図
【図２５】図２４Ａ−Ａ’線に沿った断面図
【図２６】従来のＬ字状タイルを施工した出隅部の斜視図
【図２７】従来のＬ字形状のタイルの斜視図
【符号の説明】
（１）Ｌ字状タイル
（１０）この発明のタイル
（１１）掛止溝
（１２）壁
（１３）通常のタイル
（１５）他の実施例のタイル
（１６）壁
（１７）斜面
（１８）垂直面
（１９）水平部
（２０）タイル取付ボード
（２１）突条
（３０）建物の外壁
（４０）シーリング
（１５０）一方のタイル
（１５１）方形切除部
（１５２）他方のタイル
（２５０）一方のタイル
（２５１）壁面を被覆するタイル
（３０１）オーバーラップタイプのタイル
（３１０）上縁
（３１１）下縁
（３１２）掛止溝
（３１３）壁
（３１４）折曲形状
（３０２）タイル取付ボード
（３２０）掛止突条
（３０３）建物の外壁
（３０４）シーリング
（３３０）他方のタイル
（３３１）他方のタイルの上縁
【図１】
2004003269.tif 000003
【図２】
2004003269.tif 000004
【図３】
2004003269.tif 000005
【図４】
2004003269.tif 000006
【図５】
2004003269.tif 000007
【図６】
2004003269.tif 000008
【図７】
2004003269.tif 000009
【図８】
2004003269.tif 000010
【図９】
2004003269.tif 000011
【図１０】
2004003269.tif 000012
【図１１】
2004003269.tif 000013
【図１２】
2004003269.tif 000014
【図１３】
2004003269.tif 000015
【図１４】
2004003269.tif 000016
【図１５】
2004003269.tif 000017
【図１６】
2004003269.tif 000018
【図１７】
2004003269.tif 000019
【図１８】
2004003269.tif 000020
【図１９】
2004003269.tif 000021
【図２０】
2004003269.tif 000022
【図２１】
2004003269.tif 000023
【図２２】
2004003269.tif 000024
【図２３】
2004003269.tif 000025
【図２４】
2004003269.tif 000026
【図２５】
2004003269.tif 000027
【図２６】
2004003269.tif 000028
【図２７】
2004003269.tif 000029